(57)【特許請求の範囲】
【請求項１】
盗難防止用タグであって、
電池収納筐体部と、
前記電池収納筐体部に装着可能な外蓋部と、
前記電池収納筐体部に装着可能な中蓋部と、
前記外蓋部が前記電池収納筐体部から取り外されたことを検知する検知部と、
前記検知部による検知に応じて警報を出力する警報出力部と、を備え、
前記中蓋部は、第１の係合部を備え、
前記電池収納筐体部は、第２の係合部を備え、
前記中蓋部の前記電池収納筐体部への装着に応じて、前記第１の係合部と前記第２の係合部とが係合され、
前記第１の係合部は、孔部を備え、
前記孔部を通じて挿入された棒状物体の前記第２の係合部との接触に応じて、前記第１の係合部と前記第２の係合部との係合を解除可能であることを特徴とする盗難防止用タグ。
【請求項２】
前記外蓋部は、接点制御突起を備え、
前記外蓋部の前記電池収納筐体部への装着又は前記電池収納筐体部からの取り外しに応じて、前記接点制御突起が、前記電池収納筐体部の内部の基板に設けられた接点スイッチのオン又はオフを切り替え、
前記検知部は、前記接点スイッチのオン又はオフに基づいて、前記電池収納筐体部からの取り外しを検知することを特徴とする請求項１に記載の盗難防止用タグ。
【請求項３】
前記第１の係合部は、凹部を備え、
前記第２の係合部は、凸部を備え、
前記凹部と前記凸部とが係合されることを特徴とする請求項１又は２に記載の盗難防止用タグ。
【請求項４】
前記電池収納筐体部は挿入孔をさらに備え、
前記電池収納筐体部の挿入孔を介して前記電池収納筐体部の内部に前記棒状物体を挿入可能であることを特徴とする請求項１乃至３の何れか１項に記載の盗難防止用タグ。
【請求項５】
前記第２の係合部は、前記電池収納筐体部の内部に設けられていることを特徴とする請求項１乃至４の何れか１項に記載の盗難防止用タグ。
【請求項６】
前記検知部は、前記警報出力部が警報の出力を行うセット状態において前記外蓋部が前記電池収納筐体部から取り外されたことを検知することを特徴とする請求項１乃至５の何れか１項に記載の盗難防止用タグ。
【請求項７】
前記検知部は、前記警報出力部が警報の出力を行わない解除状態において前記外蓋部が前記電池収納筐体部から取り外されても、取り外しを検知しないことを特徴とする請求項１乃至６の何れか１項に記載の盗難防止用タグ。
【発明の詳細な説明】
【技術分野】
【０００１】
本発明は、店舗において商品棚等に置かれた商品の盗難を防止する盗難防止用タグに関する。
【背景技術】
【０００２】
従来より、店舗において商品の盗難を防止するために盗難防止用タグを商品に取り付けておき、その商品から盗難防止用タグを不正に取り外したり、盗難防止用タグが取り付けられた商品を店舗から運び出したりした場合に、警報を発して盗難の発生を報知する技術が広く用いられている。【０００３】
これは、盗難防止用タグが不正な取り外し状態を検知したりあるいは店舗の出入口等に設けられたＥＡＳ（Electric Article Surveillance）ゲートから発せられる信号を検知したりすることによって、盗難防止用タグ自身あるいはＥＡＳゲートなどの他の装置が警報を発するものである。【０００４】
特許文献１では、盗難防止用タグ本体の１つの挿入孔と一端が接続されたリード線を盗難防止対象物に通して、当該リード線の他端を盗難防止用タグ本体の他の挿入孔に接続することにより取り付けを行うワイヤー式の盗難防止用タグが開示されている。
【先行技術文献】
【特許文献】
【０００５】
【特許文献１】特開２００３−１０９１３２号公報
【発明の概要】
【発明が解決しようとする課題】
【０００６】
しかしながら、特許文献１に記載の盗難防止用タグの場合、内部の電池を容易に交換することができない。使用済み電池のリサイクルや、電池不良があった場合の交換作業を容易にするためには、電池を簡単に外せる構造が必要となる。【０００７】
一方、商品監視状態で盗難防止タグから電池を容易に取り外せてしまうと警報音の発報が妨げられ、盗難防止のセキュリティ機能を発揮することができなくなる恐れがある。【０００８】
本発明は、上記の課題に鑑みてなされたものであり、盗難防止のセキュリティ機能を維持しつつ電池交換を容易に可能にする技術を提供することを目的とする。
【課題を解決するための手段】
【０００９】
上記の目的を達成する本発明に係る盗難防止用タグは、
電池収納筐体部と、
前記電池収納筐体部に装着可能な外蓋部と、
前記電池収納筐体部に装着可能な中蓋部と、
前記外蓋部が前記電池収納筐体部から取り外されたことを検知する検知部と、
前記検知部による検知に応じて警報を出力する警報出力部と、を備え、
前記中蓋部は、第１の係合部を備え、
前記電池収納筐体部は、第２の係合部を備え、
前記中蓋部の前記電池収納筐体部への装着に応じて、前記第１の係合部と前記第２の係合部とが係合され、
前記第１の係合部は、孔部を備え、
前記孔部を通じて挿入された棒状物体の前記第２の係合部との接触に応じて、前記第１の係合部と前記第２の係合部との係合を解除可能であることを特徴とする。
【発明の効果】
【００１０】
本発明によれば、盗難防止のセキュリティ機能を維持しつつ電池交換を容易に実現することが可能となる。【００１１】
本発明のその他の特徴及び利点は、添付の図面を参照とした以下の説明により明らかになるであろう。なお、添付の図面においては、同じ若しくは同様の構成には、同じ参照番号を付している。
【図面の簡単な説明】
【００１２】
添付図面は明細書に含まれ、その一部を構成し、本発明の実施の形態を示し、その記述と共に本発明の原理を説明するために用いられる。
【図１】本発明の一実施形態に係る盗難防止用タグの外観図。
【図２Ａ】本発明の一実施形態に係る盗難防止用タグの機能構成図。
【図２Ｂ】本発明の一実施形態に係る信号発信装置の機能構成図。
【図３】本発明の一実施形態に係る盗難防止用タグの筐体構造の一部を示す図。
【図４】本発明の一実施形態に係る外蓋部を示す図。
【図５】本発明の一実施形態に係る電池収納筐体部を別の視点で観察した図。
【図６】本発明の一実施形態に係る電池収納筐体部に取り付けられた中蓋部の取り外し方の説明図。
【図７】本発明の一実施形態に係る電池収納筐体部と中蓋部との係合の説明図。
【図８】本発明の一実施形態に係る盗難防止用タグが実施する処理の手順を示すフローチャート。
【発明を実施するための形態】
【００１３】
以下、図面を参照しながら実施形態を説明する。なお、以下の実施形態において示す構成は一例に過ぎず、本発明は図示された構成に限定されるものではない。
【００１４】
（第１実施形態）
＜装置構成＞
まず図１を参照して、本発明の一実施形態に係る盗難防止用タグ及び信号発信装置について説明する。盗難防止用タグ１は、不図示の盗難防止対象物に取り付けられ、不正な取り外しを検知した場合に警報を出力する。また、図３を参照して後述する外蓋部３０１が電池収納筐体部３０３から取り外された場合にも警報を出力する。盗難防止用タグ１は、信号発信装置２からの信号の受信に応じて、盗難防止対象物からの取り外しや、外蓋部３０１の電池収納筐体部３０３からの取り外しを検知すると警報を出力する「セット状態」と、取り外しがあっても警報を出力しない「解除状態」とを切り替え可能である。信号発信装置２はユーザ操作を受け付ける１以上の釦２１を備えている。
【００１５】
次に図２Ａおよび図２Ｂを参照して、盗難防止用タグ１および盗難防止用タグ１へ信号を送信する信号発信装置２の機能構成を説明する。盗難防止用タグ１は、制御部１０１と、取付状態／取外状態検知部１０２と、警報出力部１０３と、信号受信部１０４と、信号処理部１０５と、発光制御部１０６とを備えている。また、信号発信装置２は、制御部２０１と、セット信号送信部２０２と、解除信号送信部２０３とを備えている。
【００１６】
制御部１０１は、各処理部の動作を制御する。例えば、不図示のメモリに格納されたプログラムを読み出して実行することにより各処理部の動作を制御する。取付状態／取外状態検知部１０２は、盗難防止用タグ１が盗難防止対象物に取り付けられている取付状態、盗難防止対象物から取り外されている取外状態を検知する。また、取付状態／取外状態検知部１０２は、後述する外蓋部３０１が電池収納筐体部３０３から取り外されていること、あるいは、外蓋部３０１が電池収納筐体部３０３に取り付けられている（装着されている）ことを検知する。
【００１７】
警報出力部１０３は、取付状態／取外状態検知部１０２により盗難防止用タグ１が盗難防止対象物から取り外された状態が検知されたり、不図示のＥＡＳゲートから所定の信号を受信したり、外蓋部３０１が電池収納筐体部３０３から取り外されていることが検知されたりした場合に、警報を出力する。信号受信部１０４は、図２Ｂに示される信号発信装置２（リモート・コントローラ）から送信された制御信号、あるいは不図示のＥＡＳゲートから送信された信号を受信する。
【００１８】
ここで信号発信装置２が盗難防止用タグ１へ送信する制御信号について説明する。信号発信装置２の制御部２０１は、各処理部の動作を制御する。例えば、不図示のメモリに格納されたプログラムを読み出して実行することにより各処理部の動作を制御する。信号発信装置２のセット信号送信部２０２は、盗難防止用タグ１が盗難防止対象物へ取り付けられている間に取り外しを検知したり、外蓋部３０１が電池収納筐体部３０３から取り外されたことを検知したりすると警報を出力する「セット状態」に盗難防止用タグ１をセットするためのセット信号を送信する。
【００１９】
なお、不正な取り外しとは、セット状態において、盗難防止対象物から盗難防止用タグ１が取り外されたり、後述する盗難防止用タグ１の外蓋部３０１が取り外されたりしたことをいう。信号発信装置２の解除信号送信部２０３は、セット状態を解除して盗難防止対象物から盗難防止用タグ１を取り外したり、盗難防止用タグ１の外蓋部３０１が取り外されたりしても警報を出力しない「解除状態」にするための解除信号を送信する。制御部２０１は、信号発信装置２に設けられた釦２１が押下されたことに応じてこれらの信号を送信するように、セット信号送信部２０２および解除信号送信部２０３を制御する。
【００２０】
また、信号処理部１０５は、信号受信部１０４が受信した信号を解析する。信号発信装置２から送信される制御信号は、上述のセット信号または解除信号を含んでいる。発光制御部１０６は、不図示の発光部の動作を制御する。信号受信部１０４が信号発信装置２から信号を受信した際に、あるいは、不図示のＥＡＳゲートから信号を受信した際に、その他何らかのアクションが起こった際に、不図示の発光部を発光させるように制御する。
【００２１】
＜盗難防止タグの筐体構造＞
続いて、図３乃至図７を参照して、盗難防止用タグ１の筐体構造、特に電池交換部の構造について詳述する。図３は、本発明の一実施形態に係る盗難防止用タグの筐体構造の一部を示す図である。図４は、本発明の一実施形態に係る外蓋部を示す図である。図５は、本発明の一実施形態に係る電池収納筐体部を別の視点（反対側）から観察した図である。図６は、本発明の一実施形態に係る電池収納筐体部に取り付けられた中蓋部の取り外し方の説明図である。図７は、本発明の一実施形態に係る電池収納筐体部と中蓋部との係合の様子を説明するための図である。
【００２２】
図３に示されるように、盗難防止タグ１は、外蓋部３０１と、中蓋部３０２と、電池収納筐体部３０３とを備えている。なお、電池収納筐体部３０３は別体の筐体部と組み合わされて１つの盗難防止用タグ１の筐体構造を形成するが、簡単化のため一部である電池収納筐体部３０３のみ記載している。
【００２３】
図３及び図４に示されるように、外蓋部３０１は、第１の外蓋挿入部３０１１と、第２の外蓋挿入部３０１２と、接点制御突起３０１３と、第３の外蓋挿入部３０１４と、第４の外蓋挿入部３０１５とを備えている。また、図３及び図６に示されるように、中蓋部３０２は、孔部３０２２及び凹部３０２３を有する第１の係合部３０２１と、中蓋挿入部３０２４とを備えている。また、図３、図５及び図６に示されるように、電池収納筐体部３０３は、第１の外蓋挿入孔３０３１と、第２の外蓋挿入孔３０３２と、第１の中蓋挿入孔３０３３と、第２の中蓋挿入孔３０３４と、突起挿入孔３０３５と、第３の外蓋挿入孔３０３６と、第４の外蓋挿入孔３０３７と、電池収納部３０３８と、第２の係合部３０３９とを備えている。
【００２４】
以下、電池収納筐体部に装着可能な外蓋部３０１及び中蓋部３０２を電池収納筐体部３０３へ装着する手順について説明する。まず、中蓋部３０２を電池収納筐体部３０３へ装着する。中蓋挿入部３０２４を、第２の中蓋挿入孔３０３４へ挿入し、さらに第１の係合部３０２１を第１の中蓋挿入孔３０３３へ挿入する。第１の係合部３０２１は第２の係合部３０３９と係合され、中蓋部３０２の装着が完了する。係合部分の構成については後述する。
【００２５】
次に、外蓋部３０１を、中蓋部３０２が取り付けられた電池収納筐体部３０３へ装着する。第１の外蓋挿入部３０１１が第１の外蓋挿入孔３０３１へ挿入され、第２の外蓋挿入部３０１２が第２の外蓋挿入孔３０３２へ挿入される。そして、第３の外蓋挿入部３０１４が第３の外蓋挿入孔３０３６へ挿入され、第４の外蓋挿入部３０１５が第４の外蓋挿入孔３０３７へ挿入される。
【００２６】
外蓋部３０１が電池収納筐体部３０３へ装着された状態では、接点制御突起３０１３が図５に示される突起挿入孔３０３５へ挿入されて、電池収納筐体部３０３の内部へ接点制御突起３０１３が突出する。この接点制御突起３０１３が、電池収納筐体部３０３の内部に設けられた回路基板（不図示）における接点スイッチ（不図示）に接触し、接点スイッチのオン又はオフを切り替える。接点スイッチのオン又はオフに応じて、電池収納筐体部３０３からの外蓋部３０１の取り外しを検知することができる。
【００２７】
＜係合部分の構成＞
続いて、中蓋部３０２が備える第１の係合部３０２１と、電池収納筐体部３０３が備える第２の係合部３０３９との係合部分の構成について説明する。図６に示されるように、中蓋部３０２が電池収納筐体部３０３へ装着される際は、中蓋部３０２が電池収納筐体部３０３の図６中の下方から装着される。その時、第１の係合部３０２１と第２の係合部３０３９とが係合される。
【００２８】
より具体的には、係合箇所を拡大した図７に示されるように、第１の係合部３０２１が図７中の下方から挿入されると、第１の係合部３０２１が有する爪部３０２４が第２の係合部３０３９が有する凸部３０４０と接触する。第１の係合部３０２１がさらに奥深く挿入されることによって、第１の係合部３０２１が有する爪部３０２４が、第２の係合部３０３９が有する凸部３０４０よりも図７中で上方へさらに移動する。
【００２９】
爪部３０２４が第２の係合部３０３９の上面に引っかかる位置まで移動することで、凹部３０２３と凸部３０４０とが密着し、第１の係合部３０２１が第２の係合部３０３９と係合される。爪部３０２４が第２の係合部３０３９の上面に引っかかることにより、第１の係合部３０２１は図７中で下方へ移動することができなくなり、係合状態が形成される。このようにして、中蓋部３０２が電池収納筐体部３０３に装着される。
【００３０】
＜係合解除方法＞
一方、装着（係合）を解除する手順について図６及び図７を参照しながら説明する。図６に示されるように、棒状物体６０１を第３の外蓋挿入孔３０３６へ挿入し、電池収納筐体部３０３の内部の空洞部を通じて棒状物体６０１の先端部を第２の係合部３０３９に接触させる。ここで棒状物体６０１は、例えば針金状の金属であってもよいし、プラスチックであってもよい。図７に示されるように、棒状物体６０１を中蓋部３０２が有する孔部３０２２を介して第２の係合部３０３９が有する凸部３０４０に接触させる。所定の押圧により凸部３０４０の位置を接触方向の奥側へ後退させることにより、爪部３０２４の第２の係合部３０３９の上面への引っかかりを解除することができる。引っかかりが解除されると、第１の係合部３０２１と第２の係合部３０３９との係合が解除されて、中蓋部３０２を電池収納筐体部３０３から取り外すことができる。
【００３１】
なお、本実施形態では第１の係合部３０２１が凹部３０２３を有し、第２の係合部３０３９が凸部３０４０を有する例を説明したが、逆であってもよい。すなわち、第１の係合部３０２１が凸部を有し、第２の係合部３０３９が凹部を有するように構成してもよい。
【００３２】
また、棒状物体６０１の電池収納筐体部３０３の内部への挿入孔は第３の外蓋挿入孔３０３６に限定されない。第４の外蓋挿入孔３０３７を介して電池収納筐体部３０３の内部へ挿入されてもよいし、あるいは別途専用の挿入孔を設けてもよい。
【００３３】
このように、電池収納筐体部３０３の挿入孔を介して電池収納筐体部３０３の内部に棒状物体６０１を挿入可能に構成されている。また、挿入された棒状物体６０１の第２の係合部３０３９との接触に応じて、第１の係合部３０２１と第２の係合部３０３９との係合を解除可能に構成されている。また、棒状物体６０１をむやみに挿入しても、第１の係合部３０２１と第２の係合部３０３９との係合を解除できず、第１の係合部３０２１の孔部３０２２に棒状物体６０１を挿入することが必要である。これにより、更にセキュリティ性の高い構造となっている。
【００３４】
＜処理＞
以下、図８を参照しながら、本発明の一実施形態に係る盗難防止用タグが実施する処理の手順を説明する。Ｓ８０１において、制御部１０１は、盗難防止用タグ１が、警報出力部１０３が警報を行うセット状態であるか否かを判定する。セット状態であるか、当該セット状態が解除された解除状態であるかは、信号受信部１０４が、信号発信装置２からセット信号又は解除信号を受信しているかどうかに応じて判定する。セット状態である場合、Ｓ８０２へ進む。一方、セット状態でない場合、セット状態になるまで待機する。
【００３５】
Ｓ８０２において、取付状態／取外状態検知部１０２は、外蓋部３０１の電池収納筐体部３０３からの取り外しを検知する。前述したように、外蓋部３０１が備える接点制御突起３０１３が、電池収納筐体部３０３の内部に設けられた回路基板（不図示）における接点スイッチ（不図示）に接触し、接点スイッチのオン又はオフを切り替える。そして、接点スイッチのオン又はオフに応じて、電池収納筐体部３０３からの外蓋部３０１の取り外しを検知することができる。一例として、外蓋部３０１が電池収納筐体部３０３から取り外されると接点スイッチがオン（導通状態）になり、当該接点スイッチのオンに応じて取り外しを検知する。取り外しが検知された場合、Ｓ８０３へ進む。一方、取り外しが検知されていない場合、Ｓ８０１に戻る。
【００３６】
Ｓ８０３において、警報出力部１０３は、外蓋部３０１の取り外し操作が不正な操作であると判定できるため、警報音を出力する。以上で図８の一連の処理が終了する。
【００３７】
以上説明したように、本実施形態によれば、外蓋部が電池収納筐体部から不正に取り外されたことを検知し、当該検知に応じて警報を出力する。これにより、不正な電池の取り外し行為、ひいては盗難防止対象物の盗難を防止することができる。
【００３８】
また、開けるために簡単な道具（例えば、棒状物体等）が必要な中蓋部を設けることにより、外蓋部が電池収納筐体部から取り外された後、直ぐに電池が抜かれてしまい警報音の出力が停止するといった事態を防止することができる。さらに、電池収納筐体部の内部に係合部分を設けることにより、外蓋部を取り外しても係合部分を容易に視認することができず、さらには手や指では直接係合部分に触れることができないため、防犯性をさらに向上させることができる。
【００３９】
このように、本実施形態によれば、盗難防止のセキュリティ機能を維持しつつ電池交換を容易に実現することが可能となる。
【００４０】
本発明は上記実施の形態に制限されるものではなく、本発明の精神及び範囲から離脱することなく、様々な変更及び変形が可能である。従って、本発明の範囲を公にするために、以下の請求項を添付する。
【図１】
0006656401.tif 000002
【図２Ａ】
0006656401.tif 000003
【図２Ｂ】
0006656401.tif 000004
【図３】
0006656401.tif 000005
【図４】
0006656401.tif 000006
【図５】
0006656401.tif 000007
【図６】
0006656401.tif 000008
【図７】
0006656401.tif 000009
【図８】
0006656401.tif 000010